(57)【要約】【課題】球面収差の補正を行う手段の構成要素としてレンズ駆動ユニットを備える光ピックアップ装置において、装置を小型化できる構成を提供する。【解決手段】光ピックアップ装置１においては、レンズ駆動ユニット１１によってコリメートレンズ５を光軸方向に移動できるようになっている。そして、コリメートレンズ５を光軸方向に移動することにより、球面収差補正の粗調整を行える。また、光源２とコリメートレンズ５との間に屈折率可変素子３が設けられている。この屈折率可変素子３は、通過するレーザ光の屈折率を変更することが可能であり、球面収差補正の微調整を行える。【選択図】図１
2009043350.tif 000002
【特許請求の範囲】
【請求項１】
光源と、
前記光源から出射される光ビームを光記録媒体の記録面に集光する対物レンズと、
前記光源と前記対物レンズとの間に設けられ、光軸方向に移動可能とされる可動レンズと、
前記可動レンズを駆動するためのレンズ駆動ユニットと、
を備える光ピックアップ装置において、
前記レンズ駆動ユニットによる前記可動レンズの移動は、球面収差の補正を行う際に粗調整用として使用され、
前記光源と前記対物レンズとの間に、通過する光ビームの屈折率を変更可能に設けられ、球面収差の補正を行う際に微調整用として使用される屈折率可変素子を設けたことを特徴とする光ピックアップ装置。
【請求項２】
前記可動レンズと前記レンズ駆動ユニットとを用いた球面収差の補正と、前記屈折率可変素子を用いた球面収差の補正とは、いずれも前記対物レンズに入射する光ビームの収束又は発散状態に変化を与えることによって行われることを特徴とする請求項１に記載の光ピックアップ装置。
【請求項３】
前記可動レンズは、コリメートレンズであることを特徴とする請求項１又は２に記載の光ピックアップ装置。
【請求項４】
前記屈折率可変素子は、前記光源と前記可動レンズとの間に配置されることを特徴とする請求項３に記載の光ピックアップ装置。
【請求項５】
前記レンズ駆動ユニットは、コイルと磁石とを備え、前記コイルに電流を流すことによって形成される磁界と、前記磁石によって形成される磁界との相互作用により、前記可動レンズを移動することを特徴とする請求項１から４のいずれかに記載の光ピックアップ装置。
【請求項６】
前記屈折率可変素子は、印加する電圧に応じて屈折率を変更できる液晶と、前記液晶に電圧を印加するための電極と、を備えることを特徴とする請求項１から５のいずれかに記載の光ピックアップ装置。
【請求項７】
前記屈折率可変素子は、印加する電圧に応じて屈折率を変更できる電気光学結晶と、前記電気光学結晶に電圧を印加するための電極と、を備えることを特徴とする請求項１から５のいずれかに記載の光ピックアップ装置。
【発明の詳細な説明】
【技術分野】
【０００１】
本発明は、光記録媒体に光ビームを照射して情報の読み取りや書き込みを可能とする光ピックアップ装置に関し、より詳細には、球面収差を補正する手段を有する光ピックアップ装置の構成に関する。
【背景技術】
【０００２】
コンパクトディスク（以下、ＣＤという。）やデジタル多用途ディスク（以下、ＤＶＤという。）といった光記録媒体が普及している。更に、近年、光記録媒体の情報量を増やすために、光記録媒体に記録される情報の高密度化に関する研究が進められ、例えば、高品位のＤＶＤであるＨＤ−ＤＶＤやブルーレイディスク（以下、ＢＤという。）といった光記録媒体も実用化され始めている。また、ＢＤ等の高密度記録を狙った光記録媒体においては、光記録媒体の厚み方向に複数の記録層を有する光記録媒体の開発が盛んに行われている。
【０００３】
このような光記録媒体からの情報の読み取り（再生）や光記録媒体への情報の書き込み（記録）は、光ピックアップ装置を用いて行われる。ところで、記録層を複数有する光記録媒体について、光ピックアップ装置を用いて情報の読み取り等を行う場合、記録層の位置によって、記録層を保護する透明カバー層の厚みが異なるために、球面収差の発生が問題となる。
【０００４】
また、複数種類の光記録媒体に対応する光ピックアップ装置においても、光記録媒体の種類によって記録層を保護する透明カバー層の厚みが異なるために、球面収差の発生が問題となる場合がある。なお、透明カバー層の厚みをＣＤ、ＤＶＤ、ＢＤの場合を例に示すと、例えば、ＣＤではその厚みは１．２ｍｍで、ＤＶＤでは０．６ｍｍ、ＢＤでは０．１ｍｍである。
【０００５】
以上に述べた球面収差の問題は、開口数（ＮＡ）の大きな対物レンズが必要となる青色光源を用いた光ピックアップ装置で特に問題となりやすく、近年、球面収差を適切に補正できる光ピックアップ装置に対する要望が強くなっている。このようなこともあり、従来、球面収差を補正する手段を備える光ピックアップ装置について種々の提案がなされている（例えば、特許文献１〜４参照）。
【０００６】
従来提案されている球面収差を補正する手段の例を示すと、例えば、光源から出射された光ビームの収束又は発散状態を変化させて対物レンズに入射させることにより、球面収差の補正を行うものがある。具体的には、２つのレンズを有し、少なくとも一方のレンズが可動するエキスパンダレンズを用いる例や、コリメータレンズを光軸方向に移動可能に構成する例が挙げられる。
【０００７】
また、他の球面収差を補正する手段としては、例えば、光ピックアップ装置の光学系に液晶素子を配置し、これを通過した波面が任意の位相分布を有するように液晶素子に印加する電圧を制御して球面収差の補正を行うものがある。この場合、液晶素子を構成する透明電極について、球面収差の分布形状に対応したパターンを有するように構成する必要がある。
【０００８】
その他、特許文献１に示されるように、上述した２つの球面収差を補正する手段を組合せる例もある。特許文献１によると、２つの収差補正手段のうちの一方は、対物レンズに対する相対位置を光軸方向に変化させて光ビームの対物レンズへの入射光束の発散度又は収束度を変化させることにより、ディスクのカバー層厚みで発生する波面収差のうち低次の波面収差を補正するとされている。そして、他方は、液晶素子を構成する電極に印加する電圧の大きさを任意に制御することで、任意の形状で任意の位相差を有する任意の透過波面を形成でき、高次の波面収差を補正するとされている。すなわち、特許文献１においては、異なる手法で球面収差を補正する２つの収差補正手段を組合せることにより、それぞれの手段の不足点を補って収差の補正を行うことを狙っている。
【特許文献１】特開２００５−１２２８６１号公報
【特許文献２】特開２００５−１５８０９３号公報
【特許文献３】特開２００５−３２７３９６号公報
【特許文献４】特開２００５−３２７４０１号公報
【発明の開示】
【発明が解決しようとする課題】
【０００９】
しかしながら、上述した液晶素子を用いて入射するレーザ光に位相差を発生させて球面収差の補正を行う構成には、次のような問題がある。すなわち、この構成の場合、液晶素子の透明電極に複数の領域からなる電極パターンを形成して使用する必要があるために、配線が複雑と成り易い。また、透明電極に形成する電極パターンを精度良く形成し、高い取り付け精度で、液晶素子を光学系に配置することが要求される。これらの精度が低いと、液晶素子を通過した光ビームの位相差が狙いと異なったものとなり、球面収差の補正が十分行えないからである。
【００１０】
この点、上述のコリメートレンズを光軸方向に移動させる構成やエキスパンダレンズを用いる構成等を球面収差の補正を行うための手段として用いる場合、上述した配線の複雑化等について回避することが可能である。しかし、このような構成の場合には、レンズを移動するための手段であるレンズ駆動ユニットが必要となり、従来の構成においては次のような問題点があった。
【００１１】
まず、従来の構成においては、レンズ駆動ユニットはリードスクリュ及びモータを用いてレンズを移動するために、非常に大きな形状となる。また、従来のレンズ駆動ユニットにおいては、可動レンズの位置を正確に管理するために、ステッピングモータを用い、更にフォトインタラプタを備える必要がある。このため、モータのコストが高くなり、また、フォトインタラプタを設けるために余分なスペースが必要となって光ピックアップ装置の大型化の原因となる。更に、リードスクリュによる回転によってレンズを移動させる構成であるために、球面収差の補正を行うための設定を変更する際に、設定の切り換えに時間を要するといった問題もある。
【００１２】
以上の点を鑑みて、本発明の目的は、球面収差の補正を行う手段の構成要素としてレンズ駆動ユニットを備える光ピックアップ装置において、装置を小型化できる構成を提供することである。また、本発明の他の目的は、球面収差の補正を行う手段の構成要素としてレンズ駆動ユニットを備える光ピックアップ装置において、製造コストを抑制できる構成を提供することである。更に、本発明の他の目的は、球面収差の補正を行う手段の構成要素としてレンズ駆動ユニットを備える光ピックアップ装置において、球面収差を補正するための補正量を高速に切り換えられる光ピックアップ装置を提供することである。
【課題を解決するための手段】
【００１３】
上記目的を達成するために本発明は、光源と、前記光源から出射される光ビームを光記録媒体の記録面に集光する対物レンズと、前記光源と前記対物レンズとの間に設けられ、光軸方向に移動可能とされる可動レンズと、前記可動レンズを駆動するためのレンズ駆動ユニットと、を備える光ピックアップ装置において、前記レンズ駆動ユニットによる前記可動レンズの移動は、球面収差の補正を行う際に粗調整用として使用され、前記光源と前記対物レンズとの間に、通過する光ビームの屈折率を変更可能に設けられ、球面収差の補正を行う際に微調整用として使用される屈折率可変素子を設けたことを特徴としている。
【００１４】
この構成によれば、球面収差の補正について、粗調整する手段と微調整する手段を設ける構成のために、球面収差を適切に補正できる。そして、可動レンズは球面収差補正の粗調整用に使用されるために、可動レンズの移動精度について高い精度が要求されない。このために、レンズ駆動ユニットを低コストで製造することが可能となり、更にはモータを抹消することも可能となる。従来、モータは広いスペースを必要としており、本発明の構成によれば、光ピックアップ装置の小型化が可能である。また、球面収差の補正を微調整する屈折率可変素子を設けたために、可動レンズを移動させる範囲を短縮でき、球面収差を補正するための補正量の切り換えを従来に比べて高速化することも可能となる。
【００１５】
また、本発明は、上記構成の光ピックアップ装置において、前記可動レンズと前記レンズ駆動ユニットとを用いた球面収差の補正と、前記屈折率可変素子を用いた球面収差の補正とは、いずれも前記対物レンズに入射する光ビームの収束又は発散状態に変化を与えることによって行われることとしても良い。
【００１６】
この構成によれば、屈折率可変素子を構成する電極について、複数の領域から成る電極パターンとする必要もなく、屈折率可変素子の構成を簡易な構成とできる。そして、電極をベタ電極とできるために、屈折率可変素子を光ピックアップ装置の光学系に配置するにあたって、取り付け位置精度についての要求も低くできる。
【００１７】
また、本発明は、上記構成の光ピックアップ装置において、前記可動レンズは、コリメートレンズであることが好ましい。この構成によれば、球面収差を補正する手段について従来の構成から大幅に変化させる必要がないために、光ピックアップ装置の小型化等を実現し易い。
【００１８】
また、本発明は、上記構成の光ピックアップ装置において、前記屈折率可変素子は、前記光源と前記可動レンズとの間に配置されるのが好ましい。この構成によれば、微調整用の屈折率可変素子について、電極をベタ電極とした場合においても球面収差の補正を適切に行い易い。
【００１９】
また、本発明は、上記構成の光ピックアップ装置において、前記レンズ駆動ユニットは、コイルと磁石とを備え、前記コイルに電流を流すことによって形成される磁界と、前記磁石によって形成される磁界との相互作用により、前記可動レンズを移動することとできる。
【００２０】
この構成によれば、球面収差の粗調整用に用いられる可動レンズを駆動するレンズ駆動ユニットについて、モータを抹消する構成である。従って、光ピックアップ装置の小型化が図れる。また、可動レンズを移動させる構成を、磁石とコイルを用いる構成としているために、レンズ駆動ユニットに要するコストを低コストとできる。更に、磁石の力を利用して可動レンズを移動するために、可動レンズの移動を素早く行うことが可能であり、球面収差を補正するための補正量の切り換えを高速化できる。
【００２１】
また、本発明は、上記構成の光ピックアップ装置において、前記屈折率可変素子は、印加する電圧に応じて屈折率を変更できる液晶と、前記液晶に電圧を印加するための電極と、を備えることとしても良く、また、前記屈折率可変素子は、印加する電圧に応じて屈折率を変更できる電気光学結晶と、前記電気光学結晶に電圧を印加するための電極と、を備えることとしても良い。電気光学結晶を用いる構成の場合には、特に、液晶を用いる場合に比べて応答速度が速いために、球面収差を補正するための補正量の切り換えを高速に行うという目的に適する。
【発明の効果】
【００２２】
本発明によれば、球面収差の補正を行う手段の構成要素としてレンズ駆動ユニットを備える光ピックアップ装置において、装置の小型化、コストの抑制、及び球面収差を補正するための補正量の切り換えを高速に行うこと、のうちの少なくともいずれか一つを実現可能である。
【発明を実施するための最良の形態】
【００２３】
以下、本発明の光ピックアップ装置の実施形態について、図面を参照しながら詳細に説明する。
【００２４】
図１は、本実施形態の光ピックアップ装置の構成を示す概略図である。本実施形態の光ピックアップ装置１は、情報が記録される記録層の数が１つの光ディスク（光記録媒体）及び前記記録層の数が２つの光ディスクについて、情報の読み取り及び書き込みを可能に設けられる。なお、図１では、２つの記録層Ｌ０、Ｌ１を有する２層光ディスクが示されている。
【００２５】
図１に示すように、光ピックアップ装置１の光学系には、光源２と、屈折率可変素子３と、偏光ビームスプリッタ４と、コリメートレンズ５と、立ち上げミラー６と、１／４波長板７と、対物レンズ８と、センサレンズ９と、光検出器１０と、が備えられる。
【００２６】
光源２は半導体レーザである。半導体レーザの種類は、光ピックアップ装置１がどのような種類の光ディスク対応するかによって異なってくる。すなわち、例えば、光ピックアップ装置１がＢＤに対応する場合には４０５ｎｍ帯のレーザ光を、ＤＶＤに対応する場合には６５０ｎｍ帯のレーザ光を、ＣＤに対応する場合には７８０ｎｍ帯のレーザ光を、出射する半導体レーザが使用される。
【００２７】
屈折率可変素子３は、印加する電圧を変化させることで屈折率を変化させることができる素子で、印加電圧を制御することにより屈折率の制御を行える。屈折率可変素子３を通過するレーザ光は、屈折率可変素子３の屈折率に応じて屈折力を与えられ、その発散状態（発散角）が変更される。すなわち、屈折率可変素子３を制御することで、球面収差を発生させることが可能である。そして、屈折率可変素子３によって発生させる球面収差を、透明カバー層の厚みの違い等が原因となって発生する球面収差と逆極性とすることにより、球面収差の補正が可能となる。
【００２８】
図２は、本実施形態の光ピックアップ装置１が備える屈折率可変素子３の構成を示す概略平面図である。屈折率可変素子３においては、印加する電圧を変化させることにより屈折率を変更できる材料として液晶２１を用いている。そして、液晶２１に電圧を印加するために、例えばＩＴＯ（Indium Tin Oxide）等から成る２つの電極２２ａ、２２ｂで液晶２１を挟んでいる。屈折率可変素子３を構成する電極２２ａ、２２ｂは、いずれもベタ電極であり、特に電極パターンは形成されていない。２つの電極２２ａ、２２ｂは、それぞれガラス基板２３ａ、２３ｂに支持されている。
【００２９】
なお、本実施形態においては、印加する電圧を変化させることにより屈折率を変更できる材料として液晶を用いているが、これに限定される趣旨ではない。例えば、液晶の代わりに、ＬｉＮｂＯ3（ニオブ酸リチウム）等の電気光学結晶を用いる構成としても構わない。電気光学結晶を用いる構成の場合、液晶を用いる構成に比べて応答速度が速いという利点を有し、球面収差を補正する補正量の切り換えをよりスピーディに行うことが可能となる。
【００３０】
偏光ビームスプリッタ４は、偏光方向が互いに直交する２つの直線偏光のうち一方を透過させ、他方を反射させる機能を有する。本実施形態の光ピックアップ装置１においては、往路においてはレーザ光が透過され、復路においてはレーザ光が反射されるように構成されている。なお、偏光ビームスプリッタ４は、後述の１／４波長板７と協働して光アイソレータとして機能する。
【００３１】
コリメートレンズ５は、入射するレーザ光を平行光に変換する機能を有する光学部材であるが、本実施形態においては、レンズ駆動ユニット１１によって光軸方向（図１の矢印Ａで示す方向）に移動可能な可動レンズとなっている。このため、レンズ駆動ユニット１１によってコリメートレンズ５の位置を制御することにより、対物レンズ８に入射するレーザ光の収束角又は発散角を変化させることが可能となる。すなわち、コリメートレンズ５の位置の調整により球面収差を発生させることが可能となる。そして、コリメートレンズ５の位置の調整によって発生させる球面収差を、透明カバー層の厚みの違い等が原因となって発生する球面収差と逆極性とすることにより、球面収差の補正が可能となる。
【００３２】
図３は、コリメートレンズ５を光軸方向に駆動するレンズ駆動ユニット１１の構成を示す概略斜視図である。図３に示すように、レンズ駆動ユニット１１は、レンズホルダ３１と、２本のガイドシャフト３３ａ、３３ｂと、永久磁石３４と、コイル３５と、ストッパ３６と、を備えている。
【００３３】
樹脂製のレンズホルダ３１は、その略中央部分に貫通孔３２を有し、この部分でコリメートレンズ５を保持する。また、レンズホルダ３１には、２本のガイドシャフト３３ａ、３３ｂが貫通しており、レンズホルダ３１は、ガイドシャフト３３ａ、３３ｂに沿って摺動可能となっている。なお、２本のガイドシャフト３３ａ、３３ｂは互いに平行となるように固定配置されている。また、ガイドシャフト３３ａ、３３ｂは、非磁性材料から成っている。
【００３４】
レンズホルダ３１のガイドシャフト３３ａが貫通する部分には、断面視ドーナツ形状の永久磁石３４が嵌入されている。また、永久磁石３４が設けられる側のガイドシャフト３３ａには、コイル３５が巻かれている。コイル３５は図示しない電極と接続されており、コイル３５を流れる電流の大きさ及び向きは、後述の制御部１４によって制御可能となっている。
【００３５】
このように構成した場合、コイル３５に電流を流すと磁界が形成されるために、この磁界が永久磁石によって形成される磁界と相互作用を起こす。このために、コイル３５に流す電流を制御することで、レンズホルダ３１をガイドシャフト３３ａ、３３ｂに沿って摺動させることが可能となり、コリメートレンズ５の駆動を行える。ただし、ストッパ３６が固定配置されているために、このストッパ３６によってレンズホルダ３１の移動範囲は規制されることになる。
【００３６】
なお、本実施形態では、一方のガイドシャフト３３ａ側にのみ永久磁石３４とコイル３５を設ける構成としているが、この構成に限定される趣旨ではなく、更にガイドシャフト３３ｂ側にも永久磁石３４とコイル３５を設ける構成としても勿論構わない。また、本実施形態では、非磁性材料から成るガイドシャフト３３ａにコイル３５を巻きつける構成としているが、この構成に限定されない。すなわち、コイル３５に電流を流した時に発生する磁力を増大するために、コイル３５は透磁率の大きい物質に巻きつけ、これをガイドシャフト３３ａの先端に接合する構成等としても良い。
【００３７】
図１に戻って、立ち上げミラー６は、コリメートレンズ５から送られてきたレーザ光を反射して、光軸方向を光ディスク２０の記録層Ｌ０、Ｌ１と直交する方向に変更する機能を有する。
【００３８】
１／４波長板７は、光源２から出射される直線偏光が入射した場合に、円偏光に変換するように配置されている。なお、このように配置した場合、光ディスク２０で反射され、１／４波長板７に入射した円偏光は、光源２から出射した直線偏光に対して偏光方向が９０°回転した直線偏光に変換される。このために、光ディスク２０で反射されたレーザ光は、偏光ビームスプリッタ４を透過することなく反射する。すなわち、前述のように、１／４波長板７と偏光ビームスプリッタ４とは、協同して光アイソレータとして機能する。
【００３９】
対物レンズ８は入射したレーザ光を光ディスク２０の記録層Ｌ０（又は記録層Ｌ１）に集光する。対物レンズ８はアクチュエータ１２に搭載されており、光軸方向と平行なフォーカス方向と、光ディスク２０の半径方向と平行なトラッキング方向とに移動可能とされる。これにより、対物レンズ８の焦点位置が常に光ディスク２０の記録層に合致するように制御するフォーカシング制御が可能となる。また、対物レンズ８によって集光されて形成されるビームスポットが、常に光ディスク２０に形成されるトラックに追従するように制御するトラッキング制御も可能となる。
【００４０】
また、対物レンズ８の焦点位置を或る記録層から別の記録層（例えば記録層Ｌ０から記録層Ｌ１等）へとジャンプさせるフォーカスジャンプも、このアクチュエータ１２で対物レンズ８の位置をフォーカス方向に移動することにより可能となる。なお、アクチュエータ１２の構成については、コイルに流れる電流と永久磁石によって作られる磁界との電磁気的な作用を用いて対物レンズ８を移動させる周知の構成であるために、ここではその説明を省略する。
【００４１】
センサレンズ９は、光ディスク２０で反射され、対物レンズ８、１／４波長板７、立ち上げミラー６、コリメートレンズ５の順に通過し、偏光ビームスプリッタ４で反射されたレーザ光を光検出器１０の受光領域（図示せず）に集光する。
【００４２】
光検出器１０は、光ディスク２０で反射されたレーザ光を図示しない受光領域で受光し、光情報を電気信号へと変化する。光検出器１０から出力される電気信号は、信号処理部１３に送られる。
【００４３】
信号処理部１３は、光検出器１０から受け取った電気信号を処理して、ＲＦ信号、フォーカスエラー信号（ＦＥ信号）、トラッキングエラー信号（ＴＥ信号）、ジッタ信号等を生成する。なお、ＲＦ信号によって情報の読み出しが行われ、ＦＥ信号、ＴＥ信号に基づいて上述のフォーカシング制御やトラッキング制御が行われる。ジッタ信号は、屈折率可変素子３の設定を決定する指標として用いられる。この点については後述する。
【００４４】
制御部１４は、光ピックアップ装置１の動作全体を制御する機能を有する。例えば、制御部１４は、屈折率可変素子３、レンズ駆動ユニット１１、アクチュエータ１２の制御等を行う。
【００４５】
光ピックアップ装置１の全体構成は以上のようであるが、本実施形態の光ピックアップ装置１においては、主に透明カバー層２０ａの厚みの違いに起因して発生する球面収差の補正を行えるように、屈折率可変素子３と、レンズ駆動ユニット１１によって光軸方向に移動可能なコリメートレンズ５と、を備える構成となっている。このように球面収差を補正する手段を２つ設けている理由について説明する。
【００４６】
光ピックアップ装置１においては、２層光ディスクの情報の読み取りや書き込みを行う場合、記録層Ｌ０の情報の読み込みや書き込みを行う場合と、記録層Ｌ１の情報の読み取り等を行う場合とで、球面収差の補正量を変更する必要がある。２層光ディスクは、その規格によって、記録層Ｌ０とＬ１が形成される位置は決まっている。例えば、ＢＤでは、記録層Ｌ０は透明カバー層２０ａの厚みが０．１ｍｍ、記録層Ｌ１は透明カバー層２０ａの厚みが０．０７５ｍｍと成るようにディスクが形成される。なお、ここでは、記録層Ｌ０と記録層Ｌ１との間の中間層も含めて透明カバー層と表現している。
【００４７】
このために、理想的には、球面収差を補正する量は予め決まった値となり、球面収差の補正を行うにあたって、コリメートレンズ５を２つの位置の間で切り換える構成とすれば良いということになる。しかし、例えば、光ディスク２０の製造ばらつきや光源２から出射されるレーザ光の波長ずれ等が原因となって、理想値では球面収差の補正はできない。従って、コリメートレンズ５の位置を２つの位置で切り換える構成とした上で、更に球面収差の補正量を微調整できる構成を設ける必要がある。
【００４８】
以上の点を考慮して、本実施形態では、球面収差の補正を行う手段を２つ設けている。すなわち、コリメートレンズ５をレンズ駆動ユニット１１によって移動することによって球面収差を補正する構成は、２つの位置の間を切り換える機能のみを有する粗調整用の手段として、印加電圧の制御により屈折率の制御を行える屈折率可変素子３は、微調整用の手段として設けている。
【００４９】
次に、本実施形態の光ピックアップ装置１によって、情報の読み取り又は書き込みの対象記録層が、記録層Ｌ０から記録層Ｌ１へ移動する場合、又は記録層Ｌ１から記録層Ｌ０へと移動する場合（すなわちフォーカスジャンプする場合）に、球面収差を補正するための設定がどのように切り換わるかについて、図４を参照しながら説明する。なお、図４は、フォーカスジャンプ時に、球面収差を補正するための設定が変更される手順を示したフローチャートである。
【００５０】
フォーカスジャンプ指令が出ると、レンズ駆動ユニット１１によって、コリメートレンズ５が現在の位置から、もう一方の位置に移動される（ステップＳ１）。具体的には、制御部１４からの命令によってコイル３５に所定の電流が流され、磁力の引力又は反発力でレンズホルダ３１が移動することによってコリメートレンズ５の位置が移動される。この移動は、単に、ストッパ３６の両端２点の間でコリメートレンズ５を移動させるものであり、球面収差補正の粗調整に該当する。
【００５１】
球面収差の粗調整を行った段階で、球面収差を補正するための設定が現在の設定で良いか否かが、制御部１４で判断される（ステップＳ２）。この判断は、本実施形態においては、信号処理部１３から送られてくるジッタ信号を用いて判断するようになっている。具体的には、ジッタ値が、予め準備しておいた（データをメモリに記憶しておく）所定の閾値よりも小さければ、球面収差を補正するための補正量が良好であると判断し、所定の閾値以上であれば、球面収差を補正するための補正量が不適切であると判断する。
【００５２】
なお、本実施形態においては、ジッタ信号を用いて球面収差を補正するための補正量が良好であるか否かを判断する構成となっているが、これに限定される趣旨ではない。すなわち、再生信号の品質を表す指標を用いれば良く、例えば、トラッキングエラー信号の振幅、ＲＦ信号の振幅、エラーレート等を用いて、球面収差を補正するための補正量が良好であるか否かを判断する構成等としても構わない。
【００５３】
球面収差を補正するための設定が現在の設定で良いと判断された場合には、屈折率可変素子３の設定を変更することなく、球面収差の補正するための動作は終了する。一方、現在の設定では、球面収差を補正するための補正量が不適切であると判断された場合には、屈折率可変素子３の設定が変更される（ステップＳ３）。具体的には、印加電圧の設定が変更され、設定が変更されると、ステップＳ２に戻って、再度、球面収差を補正するための補正量が良好であるか否かが確認され、その補正量が良好となるまで、この動作が繰り返される。すなわち、屈折率可変素子３によって、球面収差補正の微調整が行われる。
【００５４】
以上のように、本実施形態の光ピックアップ装置１においては、コリメートレンズ５の移動による球面収差の補正を、球面収差補正の粗調整として用いる構成とし、コリメートレンズ５の移動にステッピングモータを使用しない構成としている。このために、従来大きなスペースが必要とされたモータを、レンズ駆動ユニットの構成から抹消することができ、光ピックアップ装置１の小型化を図れる。なお、微調整用に屈折率可変素子３を新たに配置する構成としているが、モータ抹消による効果が大きく、光ピックアップ装置１の小型化が図れる。
【００５５】
また、上述のように、コリメートレンズ５を磁石の力を用いて移動する簡単な構成としているために、ステッピングモータやフォトインタラプタを用いる従来の構成に比べて、コストを抑制することも可能である。
【００５６】
更に、コリメートレンズ５の移動について、本実施形態の場合は、磁力の引力又は反発力でコリメートレンズ５を移動させる構成であるために、ステッピングモータでリードスクリュを回転させながらコリメートレンズ５を移動させる場合に比べてコリメートレンズ５の位置の移動を高速に行える。更に、球面収差補正の微調整を屈折率可変素子３で行う構成であるために、図５に示すように、コリメートレンズ５の位置の可変のみによって球面収差の補正を行う場合に比べて、コリメートレンズ５の移動範囲を短くできる（図５の例では、１．２ｍｍ程度短くなっている）。従って、従来に比べ球面収差の補正の設定を高速に行うことが可能となる。なお、図５は、コリメートレンズの駆動量と、球面収差の発生量との関係を示すグラフである。
【００５７】
以上に示した実施形態は一例であり、本発明は上述の実施形態に限定されるものではなく、本発明の目的を逸脱しない範囲で種々の変更が可能である。
【００５８】
例えば、本実施形態においては、球面収差の補正について微調整を行うために設けられる屈折率可変素子３を、光源２とコリメートレンズ５との間に配置する構成としたが、これに限定される趣旨ではない。すなわち、コリメートレンズ５と対物レンズ８との間に配置する構成としても構わない。
【００５９】
ただし、コリメートレンズ５と対物レンズ８との間に配置する構成とする場合には、本実施形態のように屈折率可変素子３が備える２つの電極２２ａ、２２ｂについて、ベタ電極とすると、球面収差を補正できる量が小さくなる。従って、屈折率可変素子３をコリメートレンズ５と対物レンズ８との間に配置する構成とする場合には、屈折率可変素子３が備える２つの電極２２ａ、２２ｂについて、少なくとも一方は同心円状の電極パターンを有する構成とするのが好ましい。しかし、この場合には、屈折率可変素子３について高い取り付け精度が要求されること等なるために、本実施形態の構成が好ましい。
【００６０】
なお、本実施形態のように、屈折率可変素子３を光源２とコリメートレンズ５との間に配置した場合でも、屈折率可変素子３が備える２つの電極２２ａ、２２ｂについて、少なくとも一方は同心円状の電極パターンを有する構成としても構わないが、上述した屈折率可変素子３の取り付け精度の問題等を考慮して、屈折率可変素子３が備える２つの電極２２ａ、２２ｂについてはベタ電極とするのが好ましい。
【００６１】
また、本実施形態においては、球面収差の補正について粗調整を行う構成を、永久磁石３４とコイル３５とを用いる構成とした。しかし、これに限定される趣旨ではない。すなわち、コリメートレンズ５の位置を粗調整できれば良いために、例えば、ＤＣモータを用いてコリメートレンズ５の位置を調整する構成としても構わない。ただし、この場合には、本実施形態のようにモータの抹消する構成ではないために、光ピックアップ装置１の小型化の効果はあまり期待できない。しかし、ステッピングモータをＤＣモータとすることで低コスト化は期待できる。また、ＤＣモータを用いる構成とする場合でも、微調整用の屈折率可変素子３を設けたことにより、従来に比べてモータを用いてコリメートレンズ５を移動する距離を短くでき、球面収差を補正するための補正量を高速に切り換えることが可能となる。
【００６２】
また、本実施形態においては、球面収差の補正について粗調整するために設けられる光学素子が、光軸方向に移動するコリメートレンズである場合について示した。ただし、本発明は、これに限られる趣旨ではない。すなわち、例えば、エキスパンダレンズが球面収差の補正を行う場合の粗調整用の光学素子として用いられる場合にも、本発明は適用可能である。
【００６３】
また、本実施形態においては、光ピックアップ装置１はＢＤ、ＤＶＤ、ＣＤ等の一種類の光ディスクについて対応する構成とした。しかし、これに限定される趣旨ではない。すなわち、本発明は、ＢＤ、ＤＶＤ、ＣＤ等の複数種類に対応する光ピックアップ装置等にも勿論適用できる。そして、ＢＤ、ＤＶＤ、ＣＤ等、透明カバー層の厚みが異なる複数種類の光ディスクに対応する光ピックアップ装置では、上述のように球面収差の発生が問題となるが、これに対しても本発明を適用することにより、球面収差の補正を行える。
【産業上の利用可能性】
【００６４】
本発明によれば、球面収差の補正を行う手段の構成要素としてレンズ駆動ユニットを備える光ピックアップ装置において、装置の小型化、製造コストの抑制、及び球面収差を補正するための補正量の切り換えを高速に行うこと、のうちの少なくともいずれか一つについて実現可能である。従って、本発明の光ピックアップ装置は有用である。
【図面の簡単な説明】
【００６５】
【図１】は、本実施形態の光ピックアップ装置の構成を示す概略図である。
【図２】は、本実施形態の光ピックアップ装置が備える屈折率可変素子の構成を示す概略平面図である。
【図３】は、本実施形態の光ピックアップ装置が備えるコリメートレンズを光軸方向に駆動するレンズ駆動ユニットの構成を示す概略斜視図である。
【図４】は、本実施形態の光ピックアップ装置において、フォーカスジャンプ時に球面収差を補正するための設定が変更される手順を示したフローチャートである。
【図５】は、本実施形態の光ピックアップ装置における、コリメートレンズの駆動量と、球面収差の発生量との関係を示すグラフである。
【符号の説明】
【００６６】
１              光ピックアップ装置
２              光源
３              屈折率可変素子
５              コリメートレンズ（可動レンズ）
８              対物レンズ
１１            レンズ駆動ユニット
２０            光ディスク（光記録媒体）
２１            液晶（又は電気光学結晶）
２２ａ、２２ｂ  電極
３４            永久磁石
３５            コイル
Ｌ０、Ｌ１      記録層
【図１】
2009043350.tif 000003
【図２】
2009043350.tif 000004
【図３】
2009043350.tif 000005
【図４】
2009043350.tif 000006
【図５】
2009043350.tif 000007